(57)【要約】【課題】机の脚周り、床上に置かれた物品周り、床隅角部等の清掃を比較的簡単なハンドル柄操作で可能にする清掃用モップを提供する。【解決手段】ハンドル柄とモップ本体と両者を連結する自在継手で構成する。ハンドル柄の片側端部に二股状部を形成し側面に螺子貫通孔を形成する。モップ本体は長方形基台の下面側に拭掃部材を装着し、長方形基台中央に基台の厚みに等しい厚さの円形ベアリングをその外輪を基台に固着させて取り付ける。自在継手は平面板材で底面を形成し、表面に二股状部の間隔に等しい厚みの略矩形板材を立設して側面に螺子貫通孔を形成する。ハンドル柄の二股状部の二股間に自在継手の矩形板材を挿入し長螺子と蝶ナットで繋ぐ。円形ベアリングの内輪の下面中央孔を通して長螺子を上方に挿入し、自在継手の平面板材の表面から突出した螺子部に蝶ナットを螺合させて連結する。【選択図】図５
2019216866.tif 000002
【特許請求の範囲】
【請求項１】
ハンドル柄と、床の拭き・掃き用のモップ本体と、両者を連結する自在継手からなる清掃用モップであって、
前記ハンドル柄は、グリップ部とは反対側の端部に自在継手を連結するための二股状部を形成し、その二股状部には螺子貫通孔が形成してあり、
前記モップ本体は、長方形基台下面側に拭掃部材を装着したもので、長方形基台の中央には前記基台の厚みに等しい厚みの円形ベアリングがその外輪を基台に固着させた状態で取り付けてあり、
前記自在継手は側面視Ｌ字状で、Ｌ字底辺部は長方形の平面板材で形成されてその一方の短辺寄りには螺子貫通孔が形成され、Ｌ字縦辺部は前記平面板材の前記短辺とは反対側の短辺寄り表面に前記二股状部の間隔に等しい厚みの略矩形の板材を、その両面を前記長方形の長辺に平行にして立設し、その頂部は側面視半弧状に形成してその中央には螺子貫通孔が形成してあり、
かかる３部品は、前記ハンドル柄の二股状部の二股間に前記自在継手のＬ字縦辺部の略矩形板材を挿入し、該板材と二股状部の螺子貫通孔を一致させた状態で二股状部の一方の外面側から長螺子をワッシャーを介して螺子貫通孔に挿通し、二股状部反対側から突出した螺子部にワッシャーを介して蝶ナットを螺合させてハンドル柄をモップ本体の長方形基台上面の垂直軸から傾けた状態で締めつけ固定し、前記自在継手の長方形平面板材は前記モップ本体の長方形基台の上にワッシャーを挟んでその螺子貫通孔を前記円形ベアリングの内輪に一致させた状態で載置し、円形ベアリングの内輪の下面中央孔に長螺子を上方に向けて挿通して平面板材の表面から突出した螺子部にワッシャーを介して蝶ナットを螺合させ、自在継手が該長螺子周りに水平旋回できる程度に適度に締めつけた状態で取り付け、最後に長方形基台下面側に拭掃部材を装着して連結してあることを特徴とする清掃用モップ。
【請求項２】
請求項１に記載の清掃用モップにおいて、前記平面板材を自在継手に取り付ける長螺子として皿螺子を使用したことを特徴とする清掃用モップ。
【請求項３】
請求項１又は２に記載の清掃用モップにおいて、前記長方形基台下面側に装着する拭掃部材は平面形状が長方形で長手方向寸法は該長方形基台の長手方向寸法に等しく、幅方向中央線を境にして２分割され、その一方の分割部は拭掃材としての厚手スポンジで形成され、他方の分割部は幅方向外側に向け斜め下方に伸びる平ブラシで構成され、該平ブラシの基部と厚手スポンジ長手方向側面とを背中合わせに接着した状態で前記長方形基台の下面に装着してあり、前記平面板材を自在継手に取り付ける長螺子は前記背中合わせにした拭掃部材の下面側から該拭掃部材の中央に設けた小孔を通して前記円形ベアリングの内輪に挿入され、該長螺子の頭部には径が長螺子の頭部径より大きく、高さが前記厚手スポンジの厚さより高いプラスチック製円錐状部品が長螺子頭部をその下面側に埋め込み固定した状態で長螺子頭部に固定されていることを特徴とする清掃用モップ。
【発明の詳細な説明】
【技術分野】
【０００１】
本発明は床上の埃や塵をとるための清掃用モップであり、特には、椅子、机の脚回りなどの清掃を容易に行なえるように、ハンドル柄の先端に取り付けたモップ本体が障害物に当接した際に自動的に旋回して清掃するように工夫した清掃用モップに関する。
【背景技術】
【０００２】
広い面積の床の拭き・掃きなどの清掃作業にはダストモップ、ダストクロス型モップ等のモップが多用されている。これらのモップはハンドル柄の下端に自在継手を介して床の拭き・掃きを行なうモップ本体を取り付けたものである。モップ本体は長方形、あるいは円形の木製、プラスチック製の基台や基布の下面側に拭掃部材として不織布や布、繊維・ナイロン・アクリル製のパイル糸、ムートン毛糸等を貼り付け、植え込み等で取り付けたものである。
【０００３】
清掃作業ではハンドル柄を操作してモップ本体で床面を拭き・掃きするが、ハンドル柄とモップ本体が固定結合されていたのでは作業に不便である。このため自在継手を使用して両者間の角度を可変できるようにしてある。自在継手にはハンドル柄をモップ本体の１方向、例えば、モップ本体が長方形の場合には長辺方向軸周りに、或いは短辺方向軸周りに１８０°旋回できるようにしたもの（例えば、特許文献１）と、２方向、即ち、長辺方向と短辺方向の２方向に１８０°近く旋回できるようにしたもの（例えば、特許文献２）とがある。
【０００４】
ハンドル柄がモップ本体に対して１方向にしか旋回しないモップの場合、例えば、机の脚周り、床隅角部を清掃する際には床面から傾いたハンドル柄を大きく水平旋回させ、先端モップ本体側面を机の脚や床隅壁面に接触させるという手間のかかる操作が必要となる。その際には作業者の立ち位置の移動も必要になることが多い。
【０００５】
ハンドル柄がモップ本体に対して２方向に旋回するモップの場合は、傾けたハンドル柄の伸びる方向に対して長方形モップ本体の長辺を−１８０°〜１８０°の範囲で傾かせることができる。しかし、そのためにはハンドル柄を捩じったり、逆に捩じれるのを止めたりする操作が必要である。また、−１８０°〜１８０°の範囲しか旋回しないため机の脚周り、床隅角部を清掃する際のハンドル柄の操作は複雑で面倒である。
【先行技術文献】
【特許文献】
【０００６】
【特許文献１】特開平９−３２７４２７号公報
【特許文献２】登録実用新案第３０１５７１９号公報
【発明の開示】
【発明が解決しようとする課題】
【０００７】
本発明は、従来技術のこうした問題点を解決するためになされたもので、その課題は、机の脚周り、床上に置かれた物品周り、床隅角部等の清掃を比較的簡単なハンドル柄操作で可能にする清掃用モップを提供することにある。
【課題を解決するための手段】
【０００８】
前記課題を解決するための請求項１に記載の発明は、ハンドル柄と、床の拭き・掃き用のモップ本体と、両者を連結する自在継手からなる清掃用モップであって、前記ハンドル柄は、グリップ部とは反対側の端部に自在継手を連結するための二股状部を形成し、その二股状部には螺子貫通孔が形成してあり、前記モップ本体は長方形基台下面側に拭掃部材を装着したもので、長方形基台の中央には前記基台の厚みに等しい厚みの円形ベアリングがその外輪を基台に固着させた状態で取り付けてあり、前記自在継手は側面視Ｌ字状で、Ｌ字底辺部は長方形の平面板材で形成されてその一方の短辺寄りには螺子貫通孔が形成され、Ｌ字縦辺部は前記平面板材の前記短辺とは反対側の短辺寄り表面に前記二股状部の間隔に等しい厚みの略矩形の板材を、その両面を前記長方形の長辺に平行にして立設し、その頂部は側面視半弧状に形成してその中央には螺子貫通孔が形成してあり、かかる３部品は、前記ハンドル柄の二股状部の二股間に前記自在継手のＬ字縦辺部の略矩形板材を挿入し、該板材と二股状部の螺子貫通孔を一致させた状態で二股状部の一方の外面側から長螺子をワッシャーを介して螺子貫通孔に挿通し、二股状部反対側から突出した螺子部にワッシャーを介して蝶ナットを螺合させてハンドル柄をモップ本体の長方形基台上面の垂直軸から傾けた状態で締めつけ固定し、前記自在継手の長方形平面板材は前記モップ本体の長方形基台の上にワッシャーを挟んでその螺子貫通孔を前記円形ベアリングの内輪に一致させた状態で載置し、円形ベアリングの内輪の下面中央孔に長螺子を上方に向けて挿通して平面板材の表面から突出した螺子部にワッシャーを介して蝶ナットを螺合させ、自在継手が該長螺子周りに水平旋回できる程度に適度に締めつけた状態で取り付け、最後に長方形基台下面側に拭掃部材を装着して連結してあることを特徴とする清掃用モップである。
【０００９】
このような構成によれば、机の脚周り、床上に置かれた物品周り、床隅角部等の清掃を行なう際にモップ本体の一部がそれら障害物に当接すると、障害物からの反力を受けてモップ本体が障害物の側面に沿う方向に自動的に旋回する。この旋回の際に、従来の清掃用モップではハンドル柄２の捩じり操作、捩じれ阻止操作、ハンドル柄２の方向転換等の操作を必要とするが、本清掃用モップではそれらの操作を必要としない利点がある。
【００１０】
また、請求項２に記載の発明は、請求項１に記載の清掃用モップにおいて、前記平面板材を自在継手に取り付ける長螺子として皿螺子を使用したことを特徴とする清掃用モップである。
【００１１】
長螺子として頭部外観が皿形状になった皿螺子を使用すると、螺子部の太さが細くて円形ベアリングの内輪との間にかなりの隙間できる場合でも、皿形状のお蔭で螺子部の中心が円形ベアリングの内輪中心に位置するようになる。
【００１２】
また、請求項３に記載の発明は、請求項１又は２に記載の清掃用モップにおいて、前記長方形基台下面側に装着する拭掃部材は平面形状が長方形で長手方向寸法は該長方形基台の長手方向寸法に等しく、幅方向中央線を境にして２分割され、その一方の分割部は拭掃材としての厚手スポンジで形成され、他方の分割部は幅方向外側に向け斜め下方に伸びる平ブラシで構成され、該平ブラシの基部と厚手スポンジ長手方向側面とを背中合わせに接着した状態で前記長方形基台の下面に装着してあり、前記平面板材を自在継手に取り付ける長螺子は前記背中合わせにした拭掃部材の下面側から該拭掃部材の中央に設けた小孔を通して前記円形ベアリングの内輪に挿入され、該長螺子の頭部には径が長螺子の頭部径より大きく、高さが前記厚手スポンジの厚さより高いプラスチック製円錐状部品が長螺子頭部をその下面側に埋め込み固定した状態で長螺子頭部に固定されていることを特徴とする清掃用モップである。
【００１３】
このような構成によれば、清掃面の状態に応じて２種類の拭掃部材を使い分けることができる。
【図面の簡単な説明】
【００１４】
【図１】本発明に係る清掃用モップ１の全体斜視図である。
【図２】清掃用モップ１の分解斜視図である。
【図３】清掃用モップ１の下部連結部の拡大斜視図である。
【図４】皿螺子８の円形ベアリング３ｃへの取り付け状態図である。
【図５】モップ本体３の自在継手４への取り付け状態を示す断面図である。
【図６】拭掃部材の他の実施形態である。
【図７】モップ本体の他の実施形態である。
【図８】図７に示すモップ本体３を自在継手４に取り付けた状態の断面図である。
【図９】モップ本体３の下面全体を床面１５に接触させた状態である。
【図１０】床面を清掃する際の清掃用モップ１の動きを示す図である。
【図１１】モップ本体３の全体を床面１５から僅かに傾かせた状態である。
【図１２】清掃用モップ１で障害物２０周りを清掃するときのモップ本体３の動きである。
【発明を実施するための形態】
【００１５】
以下、本発明に係る清掃用モップの一実施形態について図面を参照して説明する。図１は本発明に係る清掃用モップ１の外観斜視図、図２はその分解斜視図である。清掃用モップ１はハンドル柄２と、床の拭き・掃きのためのモップ本体３と、両者を連結する自在継手４から構成される。図３はハンドル柄２、自在継手４、モップ本体３の連結部の拡大斜視図である。
【００１６】
ハンドル柄２はモップ本体３を操作するための棒状の柄であり、基端には握持用のグリップ部２ａが形成され、自在継手４側の端部には自在継手４に連結するための二股状部２ｂが形成されている。その二股状部２ｂの側面には螺子貫通孔２ｃが形成されている。
【００１７】
モップ本体３はプラスチック製又は木製の長方形基台３ａの下面側に拭掃部材３ｂを装着したものである。拭掃部材３ｂは糸状又は紐状条体であるモップ糸を束ねた繊維束集合体で形成され、長方形基台３ａの下面に接着、面ファスナー等で取り付けられている。用途によりモップ糸に代えてスポンジを用いてもよい。長方形基台３ａの中央には円形貫通孔３ｄが形成され、その円形貫通孔３ｄには基台３ａの厚みに等しい厚みの円形ベアリング３ｃが、その外輪を基台３ａに固着させた状態で取り付けてある。
【００１８】
自在継手４は側面視Ｌ字状で、Ｌ字底辺部４ａは長方形の平面板材で形成され、その一方の短辺寄りには上下方向に螺子貫通孔４ｂが形成されている。Ｌ字底辺部４ａの平面板材の前記短辺とは反対側の短辺寄り表面には、Ｌ字縦辺部４ｃが形成されている。Ｌ字縦辺部４ｃは、ハンドル柄２の二股状部２ｂの間隔に等しい厚みの略矩形の板材を、その両面をＬ字底辺部４ａの長辺に平行にして立設したものである。その頂部は側面視半弧状に形成され、その半弧状部中央には螺子貫通孔４ｄが形成されている。
【００１９】
清掃用モップ１はこれらハンドル柄２、モップ本体３、自在継手４の３部品を次のように連結して構成する。最初にハンドル柄２の二股状部２ｂの二股間に自在継手４のＬ字縦辺部４ｃである板材の半弧状部を挿入する。その状態で二股状部２ｂの側面螺子貫通孔２ｃとＬ字縦辺部４ｃの半弧状部の中央螺子貫通孔４ｄを一致させ、二股状部二股状部２ｂの一方の外側面から長螺子６を樹脂製ワッシャー６ａを介してその螺子貫通孔２ｃ、４ｄに挿通する。次いで二股状部２ｂの反対側から突出した長螺子６の螺子部に樹脂製ワッシャー６ｂを介して蝶ナット７を螺合させ、ハンドル柄をモップ本体の長方形基台上面の垂直軸から傾けた状態で締めつけ固定する。
【００２０】
モップ本体３は長方形基台３ａの中央に設けた円形貫通孔３ｄに円形ベアリング３ｃを挿入し、その外輪と基台３ａとを接着剤で固着させる。固着させた円形ベアリング３ｃの内輪の孔に、下方側から長螺子８を挿入する。円形ベアリング３ｃの内輪の上側に突出した皿螺子８の螺子部にワッシャー７ａを取り付け、ワッシャー７ａの上に突出した長螺子８の螺子部を自在継手４のＬ字底辺部４ａの螺子貫通孔４ｂに挿通する。Ｌ字底辺部４ａの螺子貫通孔４ｂの上方に突出した長螺子８の螺子部にはワッシャー８ｂを介して蝶ナット９を螺合させ、長方形基台３ａが長螺子８を回転中心軸として継手４の下面側で水平旋回可能に適度に締めつける。
【００２１】
最後に、長方形基台３ａの下面側に拭掃部材３ｂを接着、面ファスナー等で取り付けると清掃用モップ１が完成する
なお、長螺子８としては頭部外観が皿形状になっている皿螺子を使用するとよい。その理由は、仮に螺子部の太さが細くて円形ベアリング３ｃの内輪３ｃ１との間に隙間できる場合でも、図４に示すように皿形状のお蔭で螺子部の中心が内輪３ｃ１の中心に位置するようになるからである。図５は、モップ本体３を自在継手４のＬ字底辺部４ａに取り付けた状態の長螺子８の中心を含む縦断面図である。
【００２２】
図６、図７、図８は、モップ本体３の別の実施形態を示す図である。前記実施形態では、モップ本体３の拭掃部材３ｂには図２に示したような糸状又は紐状条体のモップ糸を束ねた繊維束集合体を長方形基台３ａの下面全体に装着して使用した。これに対し、この別の実施形態では、拭掃部材３ｂに２種類の拭掃材を使用している。図６は、これを上面側かみ見た平面図である。平面形状は長方形でその幅方向中央線を境にして２分割し、その一方の分割部には厚手スポンジ１０ａを使用し、他方の分割部には幅方向外側に向け斜め下方に伸びる平ブラシ１０ｂを使用している。平ブラシ１０ｂの基部と厚手スポンジ１０ａの側面とは背中合わせに接着してある。図７は、このような構成の拭掃部材３ｂを長方形基台３ａの下面に接着で取り付けたモップ本体３を上面側かみ見た平面図である。拭掃部材３ｂと長方形基台３ａの長手方向寸法は等しくしてある。
【００２３】
図８は、このような構成のモップ本体３を自在継手４のＬ字底辺部４ａに取り付けた状態の長螺子８中心を含む縦断面図である。取り付け方が前記実施形態の場合と少し異なる。前記実施形態では長螺子８頭部をモップ本体３の長方形基台３ａの下面に位置させ、長螺子８は拭掃部材３ｂを通過させずに取り付けてある。これに対して本実施形態では、長螺子８を拭掃部材３ｂの下面側から、拭掃部材３ｂを貫いて取り付けている。このため拭掃部材３ｂとしての平ブラシ１０ｂと厚手スポンジ１０ａの接合部には、長螺子８を通過させる孔が設けてある。
【００２４】
更に、長螺子８の頭部には、該頭部の径より大きい径の背の低いプラスチック製円錐状部品１１が取り付けてある。長螺子８の頭部はプラスチック製円錐状部品１１の下面側に埋め込まれており、この埋め込みによりプラスチック製円錐状部品１１は長螺子８頭部に固定されている。プラスチック製円錐状部品１１の直径は長螺子８頭部の直径より大きいため、それを収納できる大きさの穴が平ブラシ１０ｂと厚手スポンジ１０ａの接合部には設けてある。
【００２５】
プラスチック製円錐状部品１１の高さは厚手スポンジ１０ａ、平ブラシ１０ｂの厚みより僅かに高くしてある。このため、この清掃用モップで床面を掃除する際には、プラスチック製円錐状部品１１の頂部が床面に接触した状態になる。しかし、頂部が厚手スポンジ１０ａ、平ブラシ１０ｂの下方に突出する長さは僅かであるため、ハンドル柄２のグリップ部２ａを少し手前に引いてモップ本体３の長方形基台３ａの面を少し傾けさせれば、厚手スポンジ１０ａ、又は平ブラシ１０ｂが床面に接触して清掃が行なわれることになる。厚手スポンジ１０ａと平ブラシ１０ｂのどちらを床面に接触させるかは、長方形基台３ａの面を少し傾けさせる前の操作で選択できる。このようにプラスチック製円錐状部品１１の頂部を床面に接触させた状態にするのは、モップ本体３の水平旋回を容易にするためである。
【００２６】
以上説明した清掃用モップ１の特徴は、モップ本体３が円形ベアリング３ｃによって水平旋回可能に構成してある点にある。このため机の脚周り、床上に置かれた物品周り、床隅角部等の清掃を行なう際に、モップ本体３の一部がそれら障害物に当接すると、障害物からの反力を受けてモップ本体３が障害物の側面に沿う方向に自動的に旋回する。この旋回の際に、従来の清掃用モップではハンドル柄２の捩じり操作、捩じれ阻止操作、ハンドル柄２の方向転換等の操作を必要とするが、本実施形態の清掃用モップ１ではそれらの操作を必要としない利点がある。
【００２７】
このようにモップ本体３が水平旋回する構造では、障害物のない床面を清掃する際にはモップ本体３がグルグル水平旋回して作業が困難になるとの懸念が生ずる。しかし、そのような場合にモップ本体３がグルグル旋回することはない。図９、図１０、図１１はその理由を説明する図である。図９は、モップ本体３の下面全体が床面１５に接するようにハンドル柄２操作した状態の側面図である。しかし、モップ本体３がこのような姿勢のまま床面１５上を移動することはない。
【００２８】
通常、障害物のない床面１５を清掃する際には、作業者はハンドル柄２を右手で握り、ハンドル柄２を前後に動かし、モップ本体３を前後に移動させながら床面１５の清掃を行なう。このため、右手でハンドル柄２を操作してモップ本体３を足元近くから前方に押し出したときには、図１０で示すようにモップ本体３は前方向に移動すると共にハンドル柄２上端は僅かに低い方向に移動する。自在継手４はハンドル柄２に締めつけ固定されているため、ハンドル柄２上端の高さが低くなるとモップ本体３の下面と床面１５との間には図１１の側面図に示すように開き角度θが生ずる。モップ本体３が床面１５に対してθだけ傾くと、円形ベアリング３ｃの回転軸である長螺子８も鉛直方向からθだけ傾く。回転軸である長螺子８が鉛直方向から傾くと、モップ本体３の作業者側端部下面は床面１５に接触しているため、モップ本体３は水平旋回できなくなる。そしてハンドル柄２の伸びる方向、即ち、作業者が押し出した方向とは直角方向に伸び、その姿勢を維持しながら移動する。こうした理由から、障害物のない床面をハンドル柄２を前後に動かしながら清掃する通常の清掃動作では、モップ本体３がグルグル水平旋回する動作は起こらない。
【００２９】
ハンドル柄２を前に押し出したときにモップ本体３の下面と床面１５との間にθの角度が生ずることは、次のような効果も生じさせる。即ち、従来の清掃用モップではモップ本体３は図９のように、下面全体を床面１５に接触させた状態で前後移動して清掃を行なう。モップ本体３は、その上面とハンドル柄２との角度が自由に変化する継手で結合されているためである。このような清掃の仕方では、床面１５に存在した塵や埃はモップ本体３下面の拭掃部材の前端で前方に押しやられてしまうことがある。それを防ぐため、塵や埃は拭掃部材に付着するように拭掃部材に加工がしてあったり、拭掃部材が水で濡らされていたりする。しかし、このような場合でも、塵や埃は拭掃部材の前端の一部にしか付着しない。即ち、拭掃部材の一部しか塵や埃の除去に寄与しない。これに対して本実施形態の清掃用モップ１では、ハンドル柄２を前に押し出したときにモップ本体３の下面と床面１５との間にθの角度が生ずるため、床面１５に存在した塵や埃は拭掃部材３ｂの下面中央部で拭掃部材３ｂに衝突して捕捉される。下面中央部で拭掃部材３ｂに衝突して捕捉されるため前方に押しやられることはない。また、下面中央部付近で捕捉するため、拭掃部材３ｂの下面全体が塵や埃の除去に寄与することになり効率的である。
【００３０】
図１２は机の脚などの障害物の周りを清掃するときのモップ本体３の動きを説明する図である。図１２の（１）のようにモップ本体３を障害物２０に近づける。障害物２０に近づけたならばモップ本体３のハンドル柄２上端を僅かに持ち上げ、図９のようにモップ本体３下面全体が床面１５に接触した状態にする。この状態にするとモップ本体３は円形ベアリング３ｃにより水平旋回可能になる。この状態からハンドル柄２を前進させ、モップ本体３の片側（図１２の場合は右側部）を障害物２０に当てたまま前進させる。すると、図１２の（２）のようにモップ本体３は右に水平旋回を始める。更にハンドル柄２を前進させると、モップ本体３は図１２の（３ａ）又は図１２の（３ｂ）に示すように、モップ本体３の拭掃部材３ｂが障害物２０に接触した状態となって障害物２０の左側面に接近した部分が清掃される。図１２の（３ａ）、図１２の（３ｂ）の何れの姿勢になるかは、障害物２０の左側面とモップ本体３の旋回中心との間隔により決まる。モップ本体３をこのような姿勢にする際、本実施形態の清掃用モップ１ではハンドル柄２を捩じったり、捩じりを阻止したり、ハンドル柄２の前進方向を変えたりといった操作を必要としない。単に、モップ本体３の片側部が障害物２０に当たるようにした状態で前進させるだけの簡単な操作で障害物２０の側面近くを清掃できる。図１２の（３ａ）、図１２の（３ｂ）の姿勢から図１２の（１）の状態に戻すには、ハンドル柄２上端を僅かに押し下げ、図１１のようにモップ本体３下面が床面１５に対し僅かに傾いた状態にしてハンドル柄２を手前に引けばよい。
【符号の説明】
【００３１】
図面中、１は清掃用モップ、２はハンドル柄、２ｂは二股状部、２ｃ、４ｂは螺子貫通孔、３はモップ本体、３ａは長方形基台、３ｂは拭掃部材、３ｃは円形ベアリング、３ｃ１は内輪、３ｃ２は外輪、４は自在継手、４ａは平面板材、４ｃは略矩形の板材、６、８は長螺子、６ａ、６ｂ、７ａ、８ｂは樹脂製ワッシャー、７、９は蝶ナット、１０ａは厚手スポンジ、１０ｂは平ブラシ、１１はプラスチック製円錐状部品を示す。
【図１】
2019216866.tif 000003
【図２】
2019216866.tif 000004
【図３】
2019216866.tif 000005
【図４】
2019216866.tif 000006
【図５】
2019216866.tif 000007
【図６】
2019216866.tif 000008
【図７】
2019216866.tif 000009
【図８】
2019216866.tif 000010
【図９】
2019216866.tif 000011
【図１０】
2019216866.tif 000012
【図１１】
2019216866.tif 000013
【図１２】
2019216866.tif 000014
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
ハンドル柄と、床の拭き・掃き用のモップ本体と、両者を連結する自在継手からなる清掃用モップであって、
前記ハンドル柄は、グリップ部とは反対側の端部に自在継手を連結するための二股状部を形成し、その二股状部には螺子貫通孔が形成してあり、
前記モップ本体は、長方形基台下面側に拭掃部材を装着したもので、長方形基台の中央には前記基台の厚みに等しい厚みの円形ベアリングがその外輪を基台に固着させた状態で取り付けてあり、
前記自在継手は側面視Ｌ字状で、Ｌ字底辺部は長方形の平面板材で形成されてその一方の短辺寄りには螺子貫通孔が形成され、Ｌ字縦辺部は前記平面板材の前記短辺とは反対側の短辺寄り表面に前記二股状部の間隔に等しい厚みの略矩形の板材を、その両面を前記長方形の長辺に平行にして立設し、その頂部は側面視半弧状に形成してその中央には螺子貫通孔が形成してあり、
かかるハンドル柄、モップ本体、自在継手の３部品は、前記ハンドル柄の二股状部の二股間に前記自在継手のＬ字縦辺部の略矩形板材を挿入し、該板材と二股状部の螺子貫通孔を一致させた状態で二股状部の一方の外面側から長螺子をワッシャーを介して螺子貫通孔に挿通し、二股状部反対側から突出した螺子部にワッシャーを介して蝶ナットを螺合させてハンドル柄をモップ本体の長方形基台上面の垂直軸から傾けた状態で締めつけ固定し、前記自在継手の長方形平面板材は前記モップ本体の長方形基台の上にワッシャーを挟んでその螺子貫通孔を前記円形ベアリングの内輪に一致させた状態で載置し、円形ベアリングの内輪の下面中央孔に長螺子を上方に向けて挿通して平面板材の表面から突出した螺子部にワッシャーを介して蝶ナットを螺合させ、自在継手が該長螺子周りに水平旋回できる程度に適度に締めつけた状態で取り付け、最後に長方形基台下面側に拭掃部材を装着して連結してあることを特徴とする清掃用モップ。
【請求項２】
請求項１に記載の清掃用モップにおいて、前記長方形基台を自在継手の平面板材に取り付ける長螺子として皿螺子を使用したことを特徴とする清掃用モップ。
【請求項３】
請求項１又は２に記載の清掃用モップにおいて、前記長方形基台下面側に装着する拭掃部材は平面形状が長方形で長手方向寸法は該長方形基台の長手方向寸法に等しく、幅方向中央線を境にして２分割され、その一方の分割部は拭掃材としての厚手スポンジで形成され、他方の分割部は幅方向外側に向け斜め下方に伸びる平ブラシで構成され、該平ブラシの基部と厚手スポンジ長手方向側面とを背中合わせに接着した状態で前記長方形基台の下面に装着してあり、該長方形基台を自在継手の平面板材に取り付ける長螺子は前記背中合わせにした拭掃部材の下面側から該拭掃部材の中央に設けた小孔を通して前記円形ベアリングの内輪に挿入され、該長螺子の頭部には径が長螺子の頭部径より大きく、高さが前記厚手スポンジの厚さより高いプラスチック製円錐状部品が長螺子頭部をその下面側に埋め込み固定した状態で長螺子頭部に固定されていることを特徴とする清掃用モップ。
【手続補正２】
【補正対象書類名】明細書
【補正対象項目名】０００８
【補正方法】変更
【補正の内容】
【０００８】
前記課題を解決するための請求項１に記載の発明は、ハンドル柄と、床の拭き・掃き用のモップ本体と、両者を連結する自在継手からなる清掃用モップであって、前記ハンドル柄は、グリップ部とは反対側の端部に自在継手を連結するための二股状部を形成し、その二股状部には螺子貫通孔が形成してあり、前記モップ本体は長方形基台下面側に拭掃部材を装着したもので、長方形基台の中央には前記基台の厚みに等しい厚みの円形ベアリングがその外輪を基台に固着させた状態で取り付けてあり、前記自在継手は側面視Ｌ字状で、Ｌ字底辺部は長方形の平面板材で形成されてその一方の短辺寄りには螺子貫通孔が形成され、Ｌ字縦辺部は前記平面板材の前記短辺とは反対側の短辺寄り表面に前記二股状部の間隔に等しい厚みの略矩形の板材を、その両面を前記長方形の長辺に平行にして立設し、その頂部は側面視半弧状に形成してその中央には螺子貫通孔が形成してあり、
かかるハンドル柄、モップ本体、自在継手の３部品は、前記ハンドル柄の二股状部の二股間に前記自在継手のＬ字縦辺部の略矩形板材を挿入し、該板材と二股状部の螺子貫通孔を一致させた状態で二股状部の一方の外面側から長螺子をワッシャーを介して螺子貫通孔に挿通し、二股状部反対側から突出した螺子部にワッシャーを介して蝶ナットを螺合させてハンドル柄をモップ本体の長方形基台上面の垂直軸から傾けた状態で締めつけ固定し、前記自在継手の長方形平面板材は前記モップ本体の長方形基台の上にワッシャーを挟んでその螺子貫通孔を前記円形ベアリングの内輪に一致させた状態で載置し、円形ベアリングの内輪の下面中央孔に長螺子を上方に向けて挿通して平面板材の表面から突出した螺子部にワッシャーを介して蝶ナットを螺合させ、自在継手が該長螺子周りに水平旋回できる程度に適度に締めつけた状態で取り付け、最後に長方形基台下面側に拭掃部材を装着して連結してあることを特徴とする清掃用モップである。
【手続補正３】
【補正対象書類名】明細書
【補正対象項目名】００１０
【補正方法】変更
【補正の内容】
【００１０】
また、請求項２に記載の発明は、請求項１に記載の清掃用モップにおいて、前記長方形基台を自在継手の平面板材に取り付ける長螺子として皿螺子を使用したことを特徴とする清掃用モップである。
【手続補正４】
【補正対象書類名】明細書
【補正対象項目名】００１２
【補正方法】変更
【補正の内容】
【００１２】
また、請求項３に記載の発明は、請求項１又は２に記載の清掃用モップにおいて、前記長方形基台下面側に装着する拭掃部材は平面形状が長方形で長手方向寸法は該長方形基台の長手方向寸法に等しく、幅方向中央線を境にして２分割され、その一方の分割部は拭掃材としての厚手スポンジで形成され、他方の分割部は幅方向外側に向け斜め下方に伸びる平ブラシで構成され、該平ブラシの基部と厚手スポンジ長手方向側面とを背中合わせに接着した状態で前記長方形基台の下面に装着してあり、該長方形基台を自在継手の平面板材に取り付ける長螺子は前記背中合わせにした拭掃部材の下面側から該拭掃部材の中央に設けた小孔を通して前記円形ベアリングの内輪に挿入され、該長螺子の頭部には径が長螺子の頭部径より大きく、高さが前記厚手スポンジの厚さより高いプラスチック製円錐状部品が長螺子頭部をその下面側に埋め込み固定した状態で長螺子頭部に固定されていることを特徴とする清掃用モップである。